(57)【特許請求の範囲】
【請求項１】
伝送パラメータを指示する方法であって、
マルチユーザ多入力多出力(MIMO)データが伝送される時に、ダウンリンク制御情報フォーマットの中に新たに追加された指示シグナリングを使用して、イネーブルされる伝送ブロックの数量が異なる時に異なる結合符号化パラメータを指示することを含み、
前記ダウンリンク制御情報フォーマットの中に新たに追加された指示シグナリングを使用して、イネーブルされる伝送ブロックの数量が異なる時に異なる結合符号化パラメータを指示するステップは、単一の伝送ブロックがイネーブルされることに対応する時、ダイバーシティを伝送するかどうか、伝送の層数、スクランブリングコードシーケンスアイデンティティ、アンテナポート、スペクトル拡散コード情報、パイロット情報の中の複数の情報に対して結合符号化を行うことを指示することを含み、
2つの伝送ブロックがイネーブルされることに対応する時、伝送の層数、スクランブリングコードシーケンスアイデンティティ、アンテナポート、スペクトル拡散コード情報、パイロット情報の中の複数の情報に対して結合符号化を行うことを指示することを含む伝送パラメータを指示する方法。
【請求項２】
アンテナポートの総数が異なる時或いはユーザデバイスの受信能力が異なる時、前記指示シグナリングが指示する結合符号化パラメータは異なる請求項1に記載の方法。
【請求項３】
単一の伝送ブロックがイネーブルされる場合、
指示シグナリングの値が異なる時、ディスエイブルドの伝送ブロックに対応する新たなデータ指示ビットが指示する単層伝送のアンテナポートは異なり、或いは、
ディスエイブルドの伝送ブロックに対応する新たなデータ指示ビットが指示する単層伝送のアンテナポートは全ての偶数シリアル番号のアンテナポート或いは全ての奇数シリアル番号のアンテナポートであり、或いは
ディスエイブルドの伝送ブロックに対応する新たなデータ指示ビットはスクランブリングコードシーケンスアイデンティティを指示する請求項1に記載の方法。
【請求項４】
伝送パラメータを指示するシステムであって、進化型ノードBを含み、前記進化型ノードBはマルチユーザ多入力多出力（MIMO）データダウンリンク伝送モジュールを含み、
前記MIMOデータダウンリンク伝送モジュールは、MIMOダウンリンクデータを伝送する時に、ダウンリンク制御情報フォーマットの中に新たに追加された指示シグナリングを使用して、イネーブルされる伝送ブロックの数量が異なる時に異なる結合符号化パラメータを指示するように設置され、前記MIMOデータダウンリンク伝送モジュールは、単一の伝送ブロックがイネーブルされることに対応する時に、ダイバーシティを伝送するかどうか、伝送の層数、スクランブリングコードシーケンスアイデンティティ、アンテナポート、スペクトル拡散コード情報、パイロット情報の中の複数の情報に対して結合符号化を行うことを指示するように設置され、2つの伝送ブロックがイネーブルされることに対応する時に、伝送の層数、スクランブリングコードシーケンスアイデンティティ、アンテナポート、スペクトル拡散コード情報、パイロット情報の中の複数の情報に対して結合符号化を行うことを指示するように設置される伝送パラメータを指示するシステム。
【請求項５】
前記MIMOデータダウンリンク伝送モジュールは、さらに、アンテナポートの総数が異なる時或いはユーザデバイスの受信能力が異なる時に、前記指示シグナリングを使用して、異なる情報で結合符号化を行うことを指示するように設置される請求項4に記載のシステム。
【請求項６】
前記MIMOデータダウンリンク伝送モジュールは、さらに、単一の伝送ブロックがイネーブルされる時に、
指示シグナリングの異なる値によって、ディスエイブルドの伝送ブロックに対応する新たなデータ指示ビットが指示する単層伝送のアンテナポートを異ならせ、
ディスエイブルドの伝送ブロックに対応する新たなデータ指示ビットを使用して、単層伝送のアンテナポートが全ての偶数シリアル番号のアンテナポート或いは全ての奇数シリアル番号のアンテナポートであることを指示し、或いは
ディスエイブルドの伝送ブロックに対応する新たなデータ指示ビットを使用して、スクランブリングコードシーケンスアイデンティティを指示するように設置される請求項4に記載のシステム。
【発明の詳細な説明】
【技術分野】
【０００１】
本発明は無線通信分野に関し、具体的には、伝送パラメータを指示する方法及びシステムに関する。
【背景技術】
【０００２】
無線通信技術において、基地局側(例えば、進化型ノードB即ちeNB)は複数のアンテナを使用してデータを送信する時、空間多重化方式を採用してデータの伝送レートを向上させることができ、即ち、送信端には同様の時間周波数リソースを使用して異なるアンテナ位置に異なるデータを送信し、受信端(例えば、ユーザデバイスUE)も複数のアンテナを使用してデータを受信する。シングルユーザの場合で、全てのアンテナのリソースを同一のユーザに割り当て、このユーザは1つの伝送間隔内で基地局側が割り当てる物理リソースを独自に占有して割り当て、この伝送方式はシングルユーザ多入力多出力(Single User Multiple-Input Multiple-Out-put、SU-MIMOと略称する)と称し、マルチユーザの場合で、異なるアンテナの空間リソースを異なるユーザに割り当て、1つのユーザ及び少なくとも1つの他のユーザは1つの伝送間隔内で基地局側が割り当てる物理リソースを共有し、共有方式は空間分割多元接続方式或いは空間分割多重方式であってもよく、この伝送方式はマルチユーザ多入力多出力(Multiple User Multiple-Input Multiple-Out-put、MU-MIMOと略称する)と称し、基地局側が割り当てる物理リソースとは時間周波数リソースを意味する。伝送システムはもしSU-MIMO及びMU-MIMOを同時にサポートしようとすると、eNBがUEへこの2種類のモードでのデータを提供する必要がある。UEはSU-MIMOモード又はMU-MIMOモードにある時に、eNBが該UEへMIMOデータを伝送することに使用されるランク(Rank)をいずれも知る必要がある。SU-MIMOモードで、全てのアンテナのリソースはいずれも同一のユーザに割り当てられ、MIMOデータを伝送することに使用される層数は、eNBがMIMOデータを伝送することに使用されるランクに等しく、MU-MIMOモードで、1つのユーザに対応して伝送することに使用される層数は、eNBがMIMOデータを伝送する総層数より少なく、もしSU-MIMOモードとMU-MIMOとの切替を行なおうとすると、eNBは異なる伝送モードでUEへ異なる制御データを通知する必要がある。
【０００３】
長期的進化(Long-Term Evolution、LTEと略称する)のバージョン8(Release 8)標準には、物理ダウンリンク制御フォーマット指示チャネル(Physical Control Format Indicator Channel、PCFICHと略称する)、物理ハイブリッド自動再送要求指示チャネル(Physical Hybrid Automatic Retransmission Request Indicator Channel、PHICHと略称する)及び物理ダウンリンク制御チャネル(Physical Downlink Control Channel、PDCCHと略称する)という3種類のダウンリンク物理制御チャネルを定義した。PDCCHはダウンリンク制御情報(Downlink Control Information、DCIと略称する)をベアラーすることに用いられ、アップ、ダウンリンクスケジューリング情報、及びアップリンクパワー制御情報を含む。DCIのフォーマット(DCI format)は、DCI format 0、DCI format 1、DCI format 1A、DCI format 1B、DCI format 1C、DCI format 1D、DCI format 2、DCI format 2A、DCI format 3及びDCI format 3A等に分けられ、MU-MIMOをサポートする伝送モード5はDCI format 1Dのダウンリンク制御情報を利用し、DCI format 1Dの中のダウンリンク電力オフセットフィールド(Downlink power offset field) δpower-offsetはMU-MIMOモードの中に1つのユーザの電力を半減する(即ち、-10log10(2))情報を指示することに用いられ、MU-MIMO伝送モード5は2つのユーザのMU-MIMO伝送のみをサポートするため、このダウンリンク電力オフセットフィールドによって、MU-MIMO伝送モード5はSU-MIMOモード及びMU-MIMOモードの動的切替をサポートすることができるが、SU-MIMOモード又はMU-MIMOモードにかかわらず、このDCI formatは1つのUEに対して1つのストリームの伝送のみをサポートし、LTE Release 8は伝送モード4において2つ以下のストリームのシングルユーザ伝送をサポートするが、伝送モード間の切替が半静的な切替のみであるため、LTEバージョン8の中にシングルユーザマルチストリーム伝送とマルチユーザ伝送との動的切替をやり遂げることができない。
【０００４】
LTEのバージョン9(Release 9)において、ダウンリンクマルチアンテナ伝送を増強するために、ダブルストリームビームフォーミング(Beamforming)の伝送モードを導入し、この伝送モードをサポートするように、ダウンリンク制御情報はDCI format 2Bを増加し、2つの異なるスクランブリングコードシーケンスをサポートするように、DCI format 2Bの中に1つのスクランブリングコードシーケンスアイデンティティ(scrambling identity、SCIDと略称する)の標識ビットを有し、eNBはこの2つのスクランブリングコードシーケンスを異なるユーザに割り当てることができ、同一のリソースに複数のユーザを多重化する。また、1つの伝送ブロックのみがイネーブルされる場合に、ディスエイブルド(Disabled)の伝送ブロックに対応する新たなデータ指示(NDI)ビットは単層伝送の時のアンテナポートを指示することにも用いられる。
【０００５】
また、LTEのバージョン10(Release 10)において、MIMOの伝送モードはすでに復調パイロット(Demodulation Reference Signal、DMRSと略称する)を利用して復調用パイロットとすることを確定し、UEはパイロットにチャネルと干渉との推定を行うために、パイロットの位置を取得する必要がある。異なる伝送の総層数は異なるパイロットパターンを有し、例えば、LTEのバージョン番号10において、最初に、伝送の総層数又はランクが1又は2である時に使用する第1のパターン(DMRS pattern 1)、 伝送の総層数又はランクが3又は4である時に使用する第2のパターン(DMRS pattern 2)、伝送の総層数又はランクが5〜8のいずれかである時に使用する第3のパターン(DMRS pattern 3)という3種類の異なるパターン(DMRS Pattern)を確定する。SU-MIMOモードにおいて、全ての伝送層のデータはいずれも同一のUEに送信されるため、UEがランクを取得すると、パイロットパターンを分かることができ、パイロットの位置を分かることもできる。MU-MIMOモードにおいて、UEは干渉のパイロット位置を取得するために、ランク及び該UEへ伝送し始める層数を知る必要があり、伝送用パイロットパターンを知る必要もある。これ以外、異なるDMRS ポートは異なるスペクトル拡散コードを使用し、UEはパイロットにおける情報を取得するために、伝送用のスペクトル拡散コードをさらに知る必要がある。従来のLTEバージョン番号10の技術において、上記需要をサポートせず、LTEバージョン10において、既に、MIMOの伝送モードは最大総層数が8であるシングルユーザ伝送をサポートする必要があり、及び同一の伝送モードにシングルユーザ及びマルチユーザの伝送をサポートするが、LTEバージョン10の中にDMRSに基づくMIMOマルチユーザ伝送をサポートしないことを確定した。
【発明の開示】
【発明が解決しようとする課題】
【０００６】
本発明が解決しようとする技術問題は、伝送パラメータを指示する方法及びシステムを提供し、復調パイロットに基づくMIMOマルチユーザ伝送をサポートすることである。
【課題を解決するための手段】
【０００７】
上記技術問題を解決するために、本発明は伝送パラメータを指示する方法を提供し、マルチユーザ多入力多出力(MIMO)データが伝送する時に、ダウンリンク制御情報フォーマットの中に新たに追加された指示シグナリングを使用して、イネーブルされる伝送ブロックの数量が異なる時に異なる結合符号化パラメータを指示することを含む。
【０００８】
上記方法は、さらに、
前記ダウンリンク制御情報フォーマットの中に新たに追加された指示シグナリングを使用して、イネーブルされる伝送ブロックの数量が異なる時に異なる結合符号化パラメータを指示するステップは、単一の伝送ブロックがイネーブルされることに対応する時、ダイバーシティを伝送するかどうか、伝送の層数、スクランブリングコードシーケンスアイデンティティ、アンテナポート、スペクトル拡散コード情報、パイロット情報の中の1つ又は複数の情報に対して結合符号化を行うことを指示することを含むという特徴を有する。
【０００９】
上記方法は、さらに、
前記ダウンリンク制御情報フォーマットの中に新たに追加された指示シグナリングを使用して、イネーブルされる伝送ブロックの数量が異なる時に異なる結合符号化パラメータを指示するステップは、2つの伝送ブロックがイネーブルされることに対応する時、伝送の層数、スクランブリングコードシーケンスアイデンティティ、アンテナポート、スペクトル拡散コード情報、パイロット情報の中の1つ又は複数の情報に対して結合符号化を行うことを指示することを含むという特徴を有する。
【００１０】
上記方法は、さらに、
アンテナポートの総数が異なる時或いはユーザデバイスの受信能力が異なる時、前記指示シグナリングが指示する結合符号化パラメータは異なるという特徴を有する。
【００１１】
上記方法は、さらに、単一の伝送ブロックがイネーブルされる場合、
指示シグナリングの値が異なる時、ディスエイブルドの伝送ブロックに対応する新たなデータ指示ビットが指示する単層伝送のアンテナポートは異なり、或いは、
ディスエイブルドの伝送ブロックに対応する新たなデータ指示ビットが指示する単層伝送のアンテナポートは全ての偶数シリアル番号のアンテナポート或いは全ての奇数シリアル番号のアンテナポートであり、或いは、
ディスエイブルドの伝送ブロックに対応する新たなデータ指示ビットはスクランブリングコードシーケンスアイデンティティを指示するという特徴を有する。
【００１２】
上記技術問題を解決するために、本発明は伝送パラメータを指示するシステムをさらに提供し、進化型ノードBを含み、前記進化型ノードBはマルチユーザMIMOデータダウンリンク伝送モジュールを含み、前記MIMOデータダウンリンク伝送モジュールはMIMOダウンリンクデータを伝送する時に、ダウンリンク制御情報フォーマットの中に新たに追加された指示シグナリングを使用して、イネーブルされる伝送ブロックの数量が異なる時に異なる結合符号化パラメータを指示するように設置される。
【００１３】
上記システムは、さらに、
前記MIMOデータダウンリンク伝送モジュールは単一の伝送ブロックがイネーブルされることに対応する時に、ダイバーシティを伝送するかどうか、伝送の層数、スクランブリングコードシーケンスアイデンティティ、アンテナポート、スペクトル拡散コード情報、パイロット情報の中の1つ又は複数の情報に対して結合符号化を行うことを指示するように設置されるという特徴を有する。
【００１４】
上記システムは、さらに、
前記MIMOデータダウンリンク伝送モジュールは2つの伝送ブロックがイネーブルされることに対応する時に、伝送の層数、スクランブリングコードシーケンスアイデンティティ、アンテナポート、スペクトル拡散コード情報、パイロット情報の中の1つ又は複数の情報に対して結合符号化を行うことを指示するように設置されるという特徴を有する。
【００１５】
上記システムは、さらに、
前記MIMOデータダウンリンク伝送モジュールは、さらに、アンテナポートの総数が異なる時或いはユーザデバイスの受信能力が異なる時に、前記指示シグナリングを使用して、異なる情報で結合符号化を行うことを指示するように設置されるという特徴を有する。
【００１６】
上記システムは、さらに、
前記MIMOデータダウンリンク伝送モジュールは、さらに、単一の伝送ブロックがイネーブルされる時に、
指示シグナリングの異なる値によって、ディスエイブルドの伝送ブロックに対応する新たなデータ指示ビットが指示する単層伝送のアンテナポートを異ならせ、
ディスエイブルドの伝送ブロックに対応する新たなデータ指示ビットを使用して、単層伝送のアンテナポートは全ての偶数シリアル番号のアンテナポート或いは全ての奇数シリアル番号のアンテナポートであることを指示し、
ディスエイブルドの伝送ブロックに対応する新たなデータ指示ビットを使用して、スクランブリングコードシーケンスアイデンティティを指示するように設置されるという特徴を有する。
【発明の効果】
【００１７】
本発明は新しい指令シグナリングを増加することによって、マルチユーザMIMOデータが伝送する時に異なる結合符号化パラメータを指示し、復調パイロットに基づくMIMOマルチユーザ伝送をサポートする。
【図面の簡単な説明】
【００１８】
【図１】実施例の伝送パラメータを指示する方法の模式図
【発明を実施するための形態】
【００１９】
本発明は低オーバヘッドのダウンリンク制御情報を提案し、同一のシグナリングに最大総層数が8であるシングルユーザ伝送及びマルチユーザ伝送を同時にサポートする。関連技術において、LTEのバージョン番号10の中に復調パイロットに基づくMIMOマルチユーザ伝送をサポートしない問題が考慮され、本発明実施例は伝送パラメータを指示する方法及びシステムを提供し、ダウンリンク制御情報フォーマットの中に1つの新しい指示シグナリングを増加することを採用し、イネーブルされる伝送ブロックの数量が異なる時に異なる結合符号化パラメータを指示することに用いられ、復調パイロットに基づくMIMOマルチユーザ伝送をサポートすることを実現する。
【００２０】
本発明における伝送パラメータを指示するシステムは、進化型ノードBを含み、上記進化型ノードBはマルチユーザ多入力多出力(MIMO)データダウンリンク伝送モジュールを含み、MIMOダウンリンクデータを伝送する時に、ダウンリンク制御情報フォーマットの中に新たに追加された指示シグナリングを使用して、イネーブルされる伝送ブロックの数量が異なる時に異なる結合符号化パラメータを指示することに用いられる。
【００２１】
上記MIMOデータダウンリンク伝送モジュールは、さらに、単一の伝送ブロックがイネーブルされることに対応する時に、ダイバーシティを伝送するかどうか、伝送の層数、スクランブリングコードシーケンスアイデンティティ、アンテナポート、スペクトル拡散コード情報、パイロット情報の中の1つ又は複数の情報に対して結合符号化を行うことを指示し、2つの伝送ブロックがイネーブルされることに対応する時に、伝送の層数、スクランブリングコードシーケンスアイデンティティ、アンテナポート、スペクトル拡散コード情報、パイロット情報の中の1つ又は複数の情報に対して結合符号化を行うことを指示することに用いられ、さらに、アンテナポートの総数が異なる時或いはユーザデバイスの受信能力が異なる時に、上記指示シグナリングを使用して指示する結合符号化を行う時に使用する情報が異なることに用いられ、さらに、単一の伝送ブロックがイネーブルされる時に、指示シグナリングの異なる値によって、ディスエイブルドの伝送ブロックに対応する新たなデータ指示ビットが指示する単層伝送のアンテナポートを異ならせることに用いられ、さらに、単一の伝送ブロックがイネーブルされる時に、ディスエイブルドの伝送ブロックに対応する新たなデータ指示ビットを使用し、単層伝送を指示するアンテナポートは全ての偶数シリアル番号のアンテナポート或いは全ての奇数のアンテナポートであることに用いられ、単一の伝送ブロックがイネーブルされる時に、ディスエイブルドの伝送ブロックに対応する新たなデータ指示ビットを使用して、スクランブリングコードシーケンスアイデンティティを指示することに用いられる。
【００２２】
図1に示すように、伝送パラメータを指示する方法は、マルチユーザ多入力多出力(MIMO)データが伝送する時に、ダウンリンク制御情報フォーマットの中に新たに追加された指示シグナリングを使用して、イネーブルされる伝送ブロックの数量が異なる時に異なる結合符号化パラメータを指示することを含む。
【００２３】
単一の伝送ブロックがイネーブルされることに対応する時に、ダイバーシティを伝送するかどうか、伝送の層数、スクランブリングコードシーケンスアイデンティティ、アンテナポート、スペクトル拡散コード情報、パイロット情報の中の1つ又は複数の情報に対して結合符号化を行うことを指示する。
【００２４】
2つの伝送ブロックがイネーブルされることに対応する時、伝送の層数、スクランブリングコードシーケンスアイデンティティ、アンテナポート、スペクトル拡散コード情報、パイロット情報の中の1つ又は複数の情報に対して結合符号化を行うことを指示する。
【００２５】
アンテナポートの総数が異なる時、結合符号化を行う時に使用する情報は異なる。例えば、4アンテナポートの場合に結合符号化設計を行う時に、使用するパラメータは8アンテナポートの場合に結合符号化設計を行う時に使用するパラメータと異なる。ユーザデバイスの受信能力が異なる時、結合符号化を行う時に使用するパラメータは異なってもよく、例えば、UEの受信能力が4層である場合に結合符号化設計を行う時に、使用するパラメータはUEの受信能力が8層である場合に結合符号化設計を行う時に使用するパラメータと異なる。
【００２６】
単一の伝送ブロックがイネーブルされる時、ディスエイブルドの伝送ブロックに対応する新たなデータ指示ビットが指示する単層伝送のアンテナポートは異なり、或いは、ディスエイブルドの伝送ブロックが対応する新たなデータ指示ビットを使用して単層伝送を指示するアンテナポートは全ての偶数シリアル番号のアンテナポート或いは全ての奇数のアンテナポートであり、或いは、単一の伝送ブロックがイネーブルされる時、ディスエイブルドの伝送ブロックに対応する新たなデータ指示ビットを使用してスクランブリングコードシーケンスアイデンティティを指示する。
【００２７】
本発明の上記方法及びシステムにおいて、パイロット情報はパイロットパターン及び/又はパイロットモードを含むことができる。パイロットパターン及びパイロットモードは等価であり、パイロットパターンは唯一のパイロットモードに対応し、相応するパイロットモードによってパイロットパターンを確定することができる。結合符号化パラメータを指示する時、パイロットパターン又はパイロットモード又はパイロット情報を直接に指示することができる。伝送の層数及び伝送のランク(rank値)は等価であり、マルチユーザ及びシングルユーザが伝送する時に、rank値は該UEに対して伝送を行う層数を示し、アンテナポート及び層のインデックスは画像方式によって一対一に対応することができ、マルチユーザ及びシングルユーザが伝送する時に使用するアンテナポートから、層のインデックスを分かることができ、本発明実施例もシグナリングによって以上の等価情報を取得する。
【００２８】
本発明の上記方法及びシステムにおいて、スペクトル拡散コード情報はスペクトル拡散コードの長さ及び具体的なスペクトル拡散コードを含む。実施例において、結合符号化パラメータを指示する時、スペクトル拡散コードの長さを直接に指示することができ、スペクトル拡散コードをさらに直接に指示することができ、スペクトル拡散コード情報の記号をさらに指示することができ、このように、スペクトル拡散コード情報の中に含まれるスペクトル拡散コードの長さ及び具体的なスペクトル拡散コード情報を指示することができる。
【００２９】
以下のテーブルに示す通りである。
【００３０】
【表１】
0005513675.tif 000002
【００３１】
以下、実施例を結び付けて本発明を詳細に説明する。
【００３２】
なお、本発明実施例の各種の対応関係(例えば、フォームにおいて、結合符号化の後ろのインデックスと具体的なプロパティとの対応関係、アンテナポートと層数との対応関係、層のインデックスとパイロットパターンとの対応関係)はこの唯一の対応関係に限定されず、即ち、それらの順序は任意に交換し、組み合わせられることができ、一対一に対応すればよい。具体的には、1つの結合符号化の後ろのインデックスは唯一の具体的なプロパティに対応し、1つの具体的なプロパティは唯一の結合符号化の後ろのインデックスに対応する。本発明実施例では、その対応する1種の可能性のみが挙がられ、具体的なプロパティの状態が同様であると、本発明の保護範囲内に含まれる。
【００３３】
実施例一
実施例一において、単一の伝送ブロックがイネーブルされることに対応する時、指示シグナリングの指示によって、伝送ダイバーシティ、伝送の層数、スクランブリングコードシーケンスアイデンティティ及びアンテナポートの中の1つ又は複数の情報に対して結合符号化を行う。2つの伝送ブロックがイネーブルされることに対応する時、指示シグナリングの指示によって、伝送の層数、スクランブリングコードシーケンスアイデンティティ及びアンテナポートの中の1つ又は複数の情報に対して結合符号化を行う。次の表において、4つのアンテナポートを使用する時又はUEが4層の受信能力を有する時、指示シグナリングはビット1及び2を含み、各情報を指示することに用いられ、8つのアンテナポートを使用し、又はUEが8層の受信能力を有する時、指示シグナリングはビット1、2及び3を含み、各情報を指示することに用いられる。
【００３４】
アンテナポートの総数が異なる時或いはユーザデバイスの受信能力が異なる時、上記指示シグナリングが指示する、結合符号化を行う時に使用する情報は異なる。
【００３５】
1つだけの伝送ブロックがイネーブルされる場合に、ディスエイブルド(Disabled)の伝送ブロックに対応する新たなデータ指示(NDI)ビットは単層伝送の時のアンテナポートを指示することに用いられ、且つ、指示シグナリングの値が異なる時、ディスエイブルドの伝送ブロックに対応する新たなデータ指示ビットが指示する単層伝送のアンテナポートは異なる。
【００３６】
下記の表の中に応用する時の１種の具体的な指示状況を表す。
【００３７】
【表２】
0005513675.tif 000003
【００３８】
【表３】
0005513675.tif 000004
【００３９】
【表４】
0005513675.tif 000005
【００４０】
実施例二
実施例二において、単一の伝送ブロックがイネーブルされることに対応する時、指示シグナリングの指示によって、伝送ダイバーシティ、伝送の層数及びアンテナポートの中の1つ又は複数の情報に対して結合符号化を行う。2つの伝送ブロックがイネーブルされることに対応する時、指示シグナリングの指示によって、伝送の層数及びアンテナポートの中の1つ又は複数の情報に対して結合符号化を行う。下記の表において、4つのアンテナポートを使用する時又はUEが4層の受信能力を有する時、指示シグナリングはビット1及び2を含み、各情報を指示することに用いられ、8つのアンテナポートを使用し、又はUEが8層の受信能力を有する時、指示シグナリングはビット1、2及び3を含み、各情報を指示することに用いられる。
【００４１】
アンテナポートの総数が異なる時或いはユーザデバイスの受信能力が異なる時、上記指示シグナリングが指示する、結合符号化を行う時に使用する情報は異なる。
【００４２】
1つだけの伝送ブロックがイネーブルされる場合に、ディスエイブルド(Disabled)の伝送ブロックに対応する新たなデータ指示(NDI)ビットは単層伝送の時のアンテナポートを指示することに用いられ、且つ、指示シグナリングの値が異なる時、ディスエイブルドの伝送ブロックに対応する新たなデータ指示ビットが指示する単層伝送のアンテナポートは異なる。
【００４３】
下記の表の中に応用する時の１種の具体的な指示状況を表す。
【００４４】
【表５】
0005513675.tif 000006
【００４５】
【表６】
0005513675.tif 000007
【００４６】
【表７】
0005513675.tif 000008
【００４７】
実施例三
実施例三において、単一の伝送ブロックがイネーブルされることに対応する時、指示シグナリングの指示によって、伝送ダイバーシティ、伝送の層数、スクランブリングコードシーケンスアイデンティティ、アンテナポート及びパイロットパターンの中の1つ又は複数の情報に対して結合符号化を行う。2つの伝送ブロックがイネーブルされることに対応する時、指示シグナリングの指示によって、伝送の層数、スクランブリングコードシーケンスアイデンティティ、アンテナポート及びパイロットパターンの中の1つ又は複数の情報に対して結合符号化を行う。下記の表において、4つのアンテナポートを使用する時又はUEが4層の受信能力を有する時、指示シグナリングはビット1、2及び3を含み、各情報を指示することに用いられ、8つのアンテナポートを使用し、又はUEが8層の受信能力を有する時、指示シグナリングはビット1、2、3及び4を含み、各情報を指示することに用いられる。
【００４８】
アンテナポートの総数が異なる時或いはユーザデバイスの受信能力が異なる時、上記指示シグナリングが指示する、結合符号化を行う時に使用する情報は異なる。
【００４９】
単一の伝送ブロックがイネーブルされる時、指示シグナリングの値が異なる時、ディスエイブルドの伝送ブロックに対応する新たなデータ指示ビットが指示する単層伝送のアンテナポートは異なり、或いは、使用するディスエイブルドの伝送ブロックに対応する新たなデータ指示ビットが単層伝送を指示するアンテナポートは全ての偶数シリアル番号のアンテナポート或いは全ての奇数シリアル番号のアンテナポートである。
【００５０】
下記の表の中に応用する時の１種の具体的な指示状況を表す。
【００５１】
【表８】
0005513675.tif 000009
【００５２】
【表９】
0005513675.tif 000010
【００５３】
【表１０】
0005513675.tif 000011
【００５４】
【表１１】
0005513675.tif 000012
【００５５】
実施例四
実施例四において、単一の伝送ブロックがイネーブルされることに対応する時、指示シグナリングの指示によって、伝送ダイバーシティ、伝送の層数、スクランブリングコードシーケンスアイデンティティ、アンテナポート、パイロットパターンの中の1つ又は複数の情報に対して結合符号化を行う。2つの伝送ブロックがイネーブルされることに対応する時、指示シグナリングの指示によって、伝送の層数、スクランブリングコードシーケンスアイデンティティ、アンテナポート、パイロットパターンの中の1つ又は複数の情報に対して結合符号化を行う。下記の表において、4つのアンテナポートを使用する時又はUEが4層の受信能力を有する時、指示シグナリングはビット1、2及び3を含み、各情報を指示することに用いられ、8つのアンテナポートを使用し、又はUEが8層の受信能力を有する時、指示シグナリングはビット1、2、3及び4を含み、各情報を指示することに用いられる。
【００５６】
アンテナポートの総数が異なる時或いはユーザデバイスの受信能力が異なる時、上記指示シグナリングが指示する、結合符号化を行う時に使用する情報は異なる。
【００５７】
単一の伝送ブロックがイネーブルされる時、指示シグナリングの値が異なる時、ディスエイブルドの伝送ブロックに対応する新たなデータ指示ビットが指示する単層伝送のアンテナポートは異なる。
【００５８】
下記の表の中に応用する時の１種の具体的な指示状況を表す。
【００５９】
【表１２】
0005513675.tif 000013
【００６０】
【表１３】
0005513675.tif 000014
【００６１】
【表１４】
0005513675.tif 000015
【００６２】
実施例五
実施例五において、単一の伝送ブロックがイネーブルされることに対応する時、指示シグナリングの指示によって、伝送ダイバーシティ、伝送の層数、スクランブリングコードシーケンスアイデンティティ、アンテナポート、スペクトル拡散コードの長さの中の1つ又は複数の情報に対して結合符号化を行う。2つの伝送ブロックがイネーブルされることに対応する時、指示シグナリングの指示によって、伝送の層数、スクランブリングコードシーケンスアイデンティティ、アンテナポート、スペクトル拡散コードの長さの中の1つ又は複数の情報に対して結合符号化を行う。下記の表において、4つのアンテナポートを使用する時又はUEが4層の受信能力を有する時、指示シグナリングはビット1、2及び3を含み、各情報を指示することに用いられ、8つのアンテナポートを使用し、又はUEが8層の受信能力を有する時、指示シグナリングはビット1、2、3及び4を含み、各情報を指示することに用いられる。
【００６３】
アンテナポートの総数が異なる時或いはユーザデバイスの受信能力が異なる時、上記指示シグナリングが指示する、結合符号化を行う時に使用する情報は異なる。
【００６４】
単一の伝送ブロックがイネーブルされる時、指示シグナリングの値が異なる時、ディスエイブルドの伝送ブロックに対応する新たなデータ指示ビットが指示する単層伝送のアンテナポートは異なる。
【００６５】
下記の表の中に応用する時の１種の具体的な指示状況を表す。
【００６６】
【表１５】
0005513675.tif 000016
【００６７】
【表１６】
0005513675.tif 000017
【００６８】
【表１７】
0005513675.tif 000018
【００６９】
実施例六
実施例六において、単一の伝送ブロックがイネーブルされることに対応する時、指示シグナリングの指示によって、伝送の層数、アンテナポート、スペクトル拡散コードの長さの中の1つ又は複数の情報に対して結合符号化を行う。2つの伝送ブロックがイネーブルされることに対応する時、指示シグナリングの指示によって、伝送の層数、スクランブリングコードシーケンスアイデンティティ、アンテナポート、スペクトル拡散コードの長さの中の1つ又は複数の情報に対して結合符号化を行う。下記の表において、4つのアンテナポートを使用する時又はUEが4層の受信能力を有する時、指示シグナリングはビット1、2及び3を含み、各情報を指示することに用いられ、8つのアンテナポートを使用し、又はUEが8層の受信能力を有する時、指示シグナリングはビット1、2、3及び4を含み、各情報を指示することに用いられる。
【００７０】
アンテナポートの総数が異なる時或いはユーザデバイスの受信能力が異なる時、上記指示シグナリングが指示する、結合符号化を行う時に使用する情報は異なる。
【００７１】
単一の伝送ブロックがイネーブルされる時、ディスエイブルドの伝送ブロックに対応する新たなデータ指示ビットを使用してスクランブリングコードシーケンスアイデンティティを指示する。特に指示シグナリングがスクランブリングコードシーケンスアイデンティティを指示していない状況に適応する。
【００７２】
下記の表の中に応用する時の１種の具体的な指示状況を表す。
【００７３】
【表１８】
0005513675.tif 000019
【００７４】
【表１９】
0005513675.tif 000020
【００７５】
【表２０】
0005513675.tif 000021
【００７６】
実施例七
実施例七において、単一の伝送ブロックがイネーブルされることに対応する時、指示シグナリングの指示によって、伝送の層数、スクランブリングコードシーケンスアイデンティティ及びアンテナポートの中の1つ又は複数の情報に対して結合符号化を行う。2つの伝送ブロックがイネーブルされることに対応する時、指示シグナリングの指示によって、伝送の層数、スクランブリングコードシーケンスアイデンティティ及びアンテナポートの中の1つ又は複数の情報に対して結合符号化を行う。下記の表において、統一的なシグナリングで8つ以下のアンテナポートの伝送をサポートし、即ち、アンテナポートの数にかかわらず、いずれもこの統一的なシグナリングテーブルを使用し、指示シグナリングはビット1、2及び3を含み、各情報を指示することに用いられる。
【００７７】
下記の表の中に応用する時の１種の具体的な指示状況を表す。
【００７８】
【表２１】
0005513675.tif 000022
【００７９】
上記状態が同様の説明はいずれも発明の範囲内に含まれ、以上の各実施例における上記状態とシグナリングビット値との間の関係は任意に置換されることができる。
【００８０】
例示の目的として、既に本発明の好適な実施例を開示しているが、当業者が各種の改善、増加及び交替が可能であることを認識でき、このため、本発明の範囲は上記実施例に限られない。
【００８１】
一般の当業者は上記方法における全部或は一部のステップがプログラムを用いて関連ハードウェアに対して命令を出し、完成させることができ、上記プログラムはコンピューターの可読記憶媒体、例えば読み出し専用メモリ、磁気ディスク或は光ディスク等に記憶できると理解可能である。上述実施例における全部或は一部のステップは1つ或は複数の集積回路を使用することで実現するという選択肢もある。それに対応し、上述実施例における各モジュール/ユニットはハードウェア形式で実現でき、またソフトウェアの機能モジュール形式でも実現できる。本発明は如何なる特定した形式のハードウェアとソフトウェアの結合にも限定されない。
【産業上の利用可能性】
【００８２】
本発明は新しい指令シグナリングを増加することによって、マルチユーザMIMOデータが伝送する時に異なる結合符号化パラメータを指示し、復調パイロットに基づくMIMOマルチユーザ伝送をサポートする。
【図１】
0005513675.tif 000023